(57)【要約】【課題】簡単かつ小型にでき、調整性および光学特性に優れた光ピックアップ用光学ユニットおよびそれを用いた光ピックアップを提供する。【解決手段】光束を集束するための対物レンズ１と、収差を補正するための収差補正素子２，３と、対物レンズ１および収差補正素子２，３の相対位置を固定するホルダ１１とを少なくとも有する光ピックアップ用光学ユニット１０のホルダ１１に、光束を通すための第１の穴部２１に光軸２０に垂直な方向から貫通させて、収差補正素子２，３を位置調整するための第２の穴部１２ａ〜１２ｄ，１３ａ〜１３ｄを形成する。【選択図】図４
2006244549.tif 000002
【特許請求の範囲】
【請求項１】
光束を集束するための対物レンズと、収差を補正するための収差補正素子と、上記対物レンズおよび上記収差補正素子の相対位置を固定するホルダとを少なくとも有する光ピックアップ用光学ユニットであって、
上記ホルダに、光束を通すための第１の穴部に光軸に垂直な方向から貫通させて、上記収差補正素子を位置調整するための第２の穴部を形成したことを特徴とする光ピックアップ用光学ユニット。
【請求項２】
上記第２の穴部は、上記第１の穴部の光軸方向一端部まで達する切り欠き形状からなることを特徴とする請求項１に記載の光ピックアップ用光学ユニット。
【請求項３】
上記第２の穴部は、該第２の穴部を通して上記収差補正素子が見える位置に形成されていることを特徴とする請求項１または２に記載の光ピックアップ用光学ユニット。
【請求項４】
上記第２の穴部は、上記収差補正素子を挟むように複数個形成されていることを特徴とする請求項１〜３項のいずれか一項に記載の光ピックアップ用光学ユニット。
【請求項５】
上記第２の穴部は、上記収差補正素子を直交する方向から挟むように４個形成されていることを特徴とする請求項４に記載の光ピックアップ用光学ユニット。
【請求項６】
上記ホルダは、上記収差補正素子の固定部における上記第１の穴部の光軸に垂直な方向の寸法が、上記収差補正素子の光軸に垂直な方向の寸法よりも大きく形成され、上記収差補正素子を光軸に垂直な方向に位置調整可能に構成されていることを特徴とする請求項１〜５項のいずれか一項に記載の光ピックアップ用光学ユニット。
【請求項７】
上記第２の穴部は、上記収差補正素子が上記ホルダに固定された状態で、その一部または全部が閉塞部材により塞がれていることを特徴とする請求項１〜６のいずれか一項に記載の光ピックアップ用光学ユニット。
【請求項８】
上記閉塞部材は、接着剤からなることを特徴とする請求項７に記載の光ピックアップ用光学ユニット。
【請求項９】
上記閉塞部材は、上記第２の穴部の開口面積よりも大きい面積を有する板状部材からなることを特徴とする請求項７に記載の光ピックアップ用光学ユニット。
【請求項１０】
上記閉塞部材は、上記第２の穴部の一部または全部に嵌合する嵌合部材からなることを特徴とする請求項７に記載の光ピックアップ用光学ユニット。
【請求項１１】
請求項１〜１０のいずれか一項に記載の光ピックアップ用光学ユニットを搭載したことを特徴とする光ピックアップ。
【発明の詳細な説明】
【技術分野】
【０００１】
本発明は、光学的に情報の記録／再生を行う光ディスクドライブ装置に設けられる光ピックアップ用光学ユニット、およびそれを用いた光ピックアップに関するものである。
【背景技術】
【０００２】
近年、光ディスクドライブ装置では、その記録容量を増すために、波長７８０ｎｍのレーザ光を使用したＣＤから、波長６５０ｎｍのレーザ光を使用したＤＶＤ、さらに波長４０５ｎｍのレーザ光を使用したディスクの採用というように、波長を短くすることによる高密度化が進められている。
【０００３】
このような光ディスクドライブ装置では、過去の資産を生かすために、波長４０５ｎｍのレーザ光を使用したディスク用の装置でも、波長６５０ｎｍのレーザ光を使用したＤＶＤや、波長７８０ｎｍのレーザ光を使用したＣＤの記録再生ができることが望ましい。
【０００４】
ところで、光ディスクドライブ装置には、レーザ光を記録媒体に照射して記録再生を行う光ピックアップが搭載されており、さらに、光ピックアップには、レーザ光を記録媒体に集光する対物レンズが取り付けられている。
【０００５】
この光ピックアップや対物レンズは、設計上は、１つの波長専用として、複数個の光ピックアップや対物レンズを搭載することで、各種波長のディスクの記録再生に対応することが容易である。
【０００６】
しかし、このように各波長に対応して光ピックアップを搭載すると、装置の小型化や、低価格化に不利であることから、１つの光ピックアップで複数の波長に対応することが求められている。光ピックアップに搭載される対物レンズについても、各波長に対応する複数の対物レンズを搭載して、それらを波長に応じて切り換えて使用するのではなく、一つの対物レンズで複数の波長に対応させることが求められている。
【０００７】
ところが、波長が短くなると、各種収差に対する光学特性の許容量が減少して、一つの対物レンズのみで複数の波長に対応させることが困難になる。このため、光を集光する対物レンズ以外に、波長が異なることによって発生する収差を補正する収差補正素子が必要となる。しかも、この収差補正素子は、光ピックアップの光学性能を確保するために、その光軸を対物レンズの光軸と精度良く合わせる必要がある。
【０００８】
一方、従来の光ピックアップとして、例えば、光ビームを光ディスクの信号記録面上に集光させる集束手段と、光ビームの常光成分および異常光成分のうち一方の成分を透過し、他方の成分を回折して収束させる偏光性ホログラム素子と、それらの相対位置を固定する保持手段とを備えるものが知られている（例えば、特許文献１参照）。
【０００９】
かかる特許文献１に開示の技術を適用し、偏光性ホログラム素子を収差補正素子に置き換えれば、収差補正素子と集束手段である対物レンズとの相対位置を、保持手段により精度良く保つことができ、良好な光学特性を確保することが可能となる。
【００１０】
また、従来の光ピックアップとして、収差補正素子を光軸と直交する方向に移動操作可能に配設して、光ディスクの記録面の光軸に対する傾きによって生じるコマ収差を補正するようにしたものも知られている（例えば、特許文献２参照）。
【００１１】
【特許文献１】特開平１０−３６９０号公報
【特許文献２】特開２００２−３３４４６７号公報
【発明の開示】
【発明が解決しようとする課題】
【００１２】
しかしながら、上記の特許文献１には、光学素子の固定方法として接着や溶着などが挙げられているが、調整については言及されていない。
【００１３】
また、上記の特許文献２には、収差補正素子を調整することは述べられているものの、その具体的な固定方法の詳細や、固定部分の構成等については言及されていない。
【００１４】
ところで、光ピックアップにおいて、収差補正素子を調整して固定するには、その調整量が一般に小さいため、単純な保持枠では難しい。例えば、収差補正素子の調整量が０．１ｍｍ程度の場合、収差素子と保持枠との間に０．１ｍｍの隙間を設けておけば、収差補正素子の移動スペースは確保されるが、この場合には、収差補正素子を掴んで移動させるための爪などを挿入することができなくなる。そのため、収差補正素子を掴む爪を挿入できるように隙間を大きくする必要があるが、このようにすると保持枠が大型化して、対物レンズ、収差補正素子および保持枠からなる光学ユニットも大型化し、結果として光ピックアップ全体が大型化して、性能低下を招くことが懸念される。
【００１５】
したがって、上記の事情に鑑みてなされた本発明の目的は、簡単かつ小型にでき、しかも調整性および光学特性に優れた光ピックアップ用光学ユニットおよびそれを用いた光ピックアップを提供することにある。
【課題を解決するための手段】
【００１６】
上記目的を達成する請求項１に係る発明は、光束を集束するための対物レンズと、収差を補正するための収差補正素子と、上記対物レンズおよび上記収差補正素子の相対位置を固定するホルダとを少なくとも有する光ピックアップ用光学ユニットであって、
上記ホルダに、光束を通すための第１の穴部に光軸に垂直な方向から貫通させて、上記収差補正素子を位置調整するための第２の穴部を形成したことを特徴とするものである。
【００１７】
請求項２に係る発明は、請求項１に記載の光ピックアップ用光学ユニットにおいて、上記第２の穴部は、上記第１の穴部の光軸方向一端部まで達する切り欠き形状からなることを特徴とするものである。
【００１８】
請求項３に係る発明は、請求項１または２に記載の光ピックアップ用光学ユニットにおいて、上記第２の穴部は、該第２の穴部を通して上記収差補正素子が見える位置に形成されていることを特徴とするものである。
【００１９】
請求項４に係る発明は、請求項１〜３項のいずれか一項に記載の光ピックアップ用光学ユニットにおいて、上記第２の穴部は、上記収差補正素子を挟むように複数個形成されていることを特徴とするものである。
【００２０】
請求項５に係る発明は、請求項４に記載の光ピックアップ用光学ユニットにおいて、上記第２の穴部は、上記収差補正素子を直交する方向から挟むように４個形成されていることを特徴とするものである。
【００２１】
請求項６に係る発明は、請求項１〜５項のいずれか一項に記載の光ピックアップ用光学ユニットにおいて、上記ホルダは、上記収差補正素子の固定部における上記第１の穴部の光軸に垂直な方向の寸法が、上記収差補正素子の光軸に垂直な方向の寸法よりも大きく形成され、上記収差補正素子を光軸に垂直な方向に位置調整可能に構成されていることを特徴とするものである。
【００２２】
請求項７に係る発明は、請求項１〜６のいずれか一項に記載の光ピックアップ用光学ユニットにおいて、上記第２の穴部は、上記収差補正素子が上記ホルダに固定された状態で、その一部または全部が閉塞部材により塞がれていることを特徴とするものである。
【００２３】
請求項８に係る発明は、請求項７に記載の光ピックアップ用光学ユニットにおいて、上記閉塞部材は、接着剤からなることを特徴とするものである。
【００２４】
請求項９に係る発明は、請求項７に記載の光ピックアップ用光学ユニットにおいて、上記閉塞部材は、上記第２の穴部の開口面積よりも大きい面積を有する板状部材からなることを特徴とするものである。
【００２５】
請求項１０に係る発明は、請求項７に記載の光ピックアップ用光学ユニットにおいて、上記閉塞部材は、上記第２の穴部の一部または全部に嵌合する嵌合部材からなることを特徴とするものである。
【００２６】
請求項１１に係る光ピックアップの発明は、請求項１〜１０のいずれか一項に記載の光ピックアップ用光学ユニットを搭載したことを特徴とするものである。
【発明の効果】
【００２７】
本発明に係る光ピックアップ用光学ユニットによれば、ホルダに、光束を通すための第１の穴部に光軸に垂直な方向から貫通させて、収差補正素子を位置調整するための第２の穴部を形成したので、簡単かつ小型な構成で、調整性および光学特性に優れた光ピックアップ用光学ユニットを得ることができる。
【００２８】
さらに、本発明に係る光ピックアップによれば、上記の光ピックアップ用光学ユニットを搭載することにより、作業性を向上でき、高性能な光ピックアップを実現することができる。
【発明を実施するための最良の形態】
【００２９】
以下、本発明の実施の形態について図を参照して説明する。
【００３０】
（第１実施の形態）
図１乃至図８は本発明の第１実施の形態を示すもので、図１は光ピックアップの一部上面図、図２は一部を図１のＡ−Ａ断面で示す光ピックアップの概念図、図３は図１および図２に示す光ピックアップ用光学ユニットの斜視図、図４は同じく分解斜視図、図５は同じく側面図、図６は図１のＡ−Ａ断面における光ピックアップ用光学ユニットの断面図であり、図７および図８は収差補正素子の調整操作を説明するための図で、図８は図７のＢ−Ｂ断面図を示している。
【００３１】
図１および図２において、ガラス繊維３０％入りの液晶ポリマーなどの合成樹脂からなるホルダ５１には、対物レンズ１、収差補正素子２，３、ホルダである鏡筒１１、絞り１７を有する光ピックアップ用光学ユニットである光学素子部組１０が接着固定されている。なお、図２では、光学素子部組１０を簡略化して示している。この光学素子部組１０に関しては、後で詳しく説明する。
【００３２】
ホルダ５１には、フォーカスコイル５２ａ，５２ｂ、トラッキングコイル５３ａ〜５３ｄが接着されている。また、ホルダ５１には、ベリリウム銅製の４本のワイヤバネ５４ａ〜５４ｄ（５４ａは図示せず）の一端部も接着されている。さらに、ホルダ５１に固定された基板５５ａ，５５ｂには、ワイヤバネ５４ａ〜５４ｄの一端とフォーカスコイル５２ａ，５２ｂおよびトラッキングコイル５３ａ〜５３ｄの端末とが接続されている（端末は図示せず）。
【００３３】
ワイヤバネ５４ａ〜５４ｄの他端部はバネウケ５６に接着され、これによりホルダ５１はワイヤバネ５４ａ〜５４ｄを介して記録媒体５９の垂直方向（Ｚ方向）および半径方向（Ｘ方向）に移動可能に支持されていることになる。記録媒体５９内の２点鎖線７９は、カバーガラス０．１ｍｍのときの記録面を示しており、対物レンズ１などの内部に示した２点鎖線８０は、カバーガラス０．１ｍｍのときの光束を示している。
【００３４】
バネウケ５６には、基板５７が固定され、この基板５７にワイヤバネ５４ａ〜５４ｄの他端が半田付けされている。ワイヤバネ５４ａ〜５４ｄは図示しないフレキシブル基板を介して、さらに外部の電気回路に接続される。バネウケ５６は、鉄製のべース５８の曲げ立ち上げ部６１ａに固定されている。曲げ立ち上げ部６１ａ，６１ｂには、磁界を発生させる磁石６２ａ，６２ｂも固定されている。
【００３５】
以上、ベース５８上に組み立てられた光学素子部組１０を動かすための機構をレンズアクチュエータ６０と呼ぶ。図２では、このレンズアクチュエータ６０のみを図１のＡ−Ａ断面で示し、その他の光学部品などについては、概念図として示している。
【００３６】
次に、光学素子部組１０について、図３〜図６を参照して詳細に説明する。
【００３７】
ホルダである鏡筒１１は、例えばカーボン繊維３０％入りの液晶ポリマーで製作されており、この鏡筒１１には、図４および図６に示すように、対物レンズ１および収差補正素子２，３が接着固定されている。対物レンズ１は、ガラス製レンズからなっている。
【００３８】
収差補正素子２は、合成樹脂製で、その両面６，７には輪帯形状の回折格子が形成されている。収差補正素子３も、同様に、合成樹脂製であるが、一方の面９に輪帯形状の回折格子が形成されており、他方の面８は負のパワーをもつ非球面形状の凹面となっている。ここで、面６，７および９の回折格子は、カバーバラス厚さ０．６ｍｍ、波長４０５ｎｍ、開口数０．８５のディスクや、カバーガラス厚さ０．６ｍｍ、波長６５０ｎｍ、開口数０．６のＤＶＤ、あるいは、カバーガラス厚さ１．２ｍｍ、波長７８０ｎｍ、開口数０．４５のＣＤに対応する光を、対物レンズ１に入射した際に発生する各種収差の補正を行っている。すなわち、波長の違いを利用して、回折格子により各波長で異なる空間を光が通るようにして、異なるカバーガラス厚に対応させると共に、球面収差や色収差を補正している。また、面８の負のパワーをもつ凹面は、これによって光束を広げ、収差の改善など、波長４０５ｎｍのときの大きな開口数０．８５への光学設計対応を容易にしている。
【００３９】
図５に示すように、鏡筒１１の対物レンズ１および収差補正素子２，３の固定部分には、対応する素子を接着する際に、余った接着剤が逃げる接着剤溜まり１６ａ〜１６ｃが設けられており、これにより接着剤が光学作用面などに広がってしまうのを防止している。
【００４０】
鏡筒１１の収差補正素子２の固定部分で、収差補正素子２と鏡筒１１の壁との間には、隙間１４が設けられており、この隙間１４の分、収差補正素子２をＸＹ平面内で位置調整可能となっている。
【００４１】
鏡筒１１の収差補正素子２の固定部付近には、さらに、図４に示すように、光軸２０に垂直な面内で光軸２０を通る直交する方向から収差補正素子２を挟むように位置調整用の第２の穴部である穴１２ａ〜１２ｄが形成されている。穴１２ａ〜１２ｄは、鏡筒１１の光束を通すために中央に大きく開けられた第１の穴部である穴２１まで貫通しており、図５に示すように、光軸２０に垂直な方向から見たとき、穴１２ａ〜１２ｄを通して収差補正素子２が見えるような位置に形成されている。
【００４２】
鏡筒１１の収差補正素子３の固定部分にも、収差補正素子２と同様に、収差補正素子３と鏡筒１１の壁との間に隙間１５が設けられており、この隙間１５の分、収差補正素子３をＸＹ平面内で位置調整可能となっている。
【００４３】
また、図４に示すように、収差補正素子３の固定部付近の鏡筒２には、収差補正素子２の場合と同様に、光軸２０に垂直な面内で光軸２０を通る直交する方向から収差補正素子３を挟むように位置調整用の第２の穴部である穴１３ａ〜１３ｄが形成されている。穴１３ａ〜１３ｄは、鏡筒１１の光束を通すために中央に大きく開けられた穴２１まで貫通しており、光軸２０に垂直な方向から見たとき、穴１３ａ〜１３ｄを通して収差補正素子３が見えるような位置に形成されている。
【００４４】
さらに、鏡筒１１には、絞り１７を形成した絞り部材１８が接着固定されている。絞り部材１８のＺ−側の面１９は、円錐側面形状となっている。これは、光学素子部組１０に入射した光が、絞り部材１８で１８０度逆向きに反射されて後述する光学系に戻り、信号検出やレーザダイオードなどに悪影響を及ぼすのを防ぐためで、この円錐側面形状の面１９により、該面１９に入射した光を、入射方向に対して角度を持って反射させて、反射光が光学系に戻るのを防止している。
【００４５】
次に、図７および図８を参照して、収差補正素子２，３の位置調整操作について説明する。なお、収差補正素子２，３の調整方法はほぼ同じであるので、ここでは収差補正素子２について説明し、図７および図８も収差補正素子２のみを示し、その他は簡略化して示す。
【００４６】
収差補正素子２は、鏡筒１１の受部２３（図６参照）に搭載されて、Ｚ方向の位置決めがなされた後、調整棒２４ａ，２４ｂ，２５ａ，２５ｂで挟まれる。ここで、調整棒２４ａを押せばＹ＋方向に、調整棒２４ｂを押せばＹ−方向に、調整棒２５ａを押せばＸ＋方向に、調整棒２５ｂを押せばＸ−方向に、それぞれ収差補正素子２を隙間１４の分、動かすことができ、これにより収差補正素子２と対物レンズ１との光軸を正確に一致させるように調整することができる。調整後、収差補正素子２は鏡筒１１に接着固定される。収差補正素子３についても、同様に、対物レンズ１と光軸が一致するように調整されて、接着固定される。
【００４７】
なお、光学素子部組１０に含まれる収差補正素子２，３の種類によっては、記録媒体５９のトラックに対して光軸周りに一定の角度を持たせる必要がある場合がある。このような場合には、光学素子部組１０を光軸周りに回転調整して、ホルダ５１に固定する。回転位置精度を高く求められない場合には、ホルダ５１および鏡筒１１に回転防止の凹凸を設け、回転方向の位置決めを行っても良い。
【００４８】
次に、図２を参照して、光学素子部組１０以外の光学系などについて、波長４０５ｎｍのレーザ光を発光するレーザダイオード６３から光学素子部組１０までの光路に沿って説明する。
【００４９】
レーザダイオード６３からのレーザ光は、コリメータレンズ６４に入射する。コリメータレンズ６４は、入射するレーザ光が平行光として出射されるように、その光軸方向の位置が調整されている。コリメータレンズ６４を通ったレーザ光は、そのレーザ光と波長６５０ｎｍのレーザ光とを合成するダイクロイックプリズム６５、さらにそれらのレーザ光と波長７８０ｎｍのレーザ光とを合成するダイクロイックプリズム６６を通って、１／４波長板６８が接合された偏光ビームスプリッタ６７に至る。レーザダイオード６３から出射したレーザ光は、上記の経路をたどった後、平行光を若干収束させたり、発散させたりする凹レンズ６９および凸レンズ７０よりなるリレーレンズ系を通って、光学素子部組１０に到達する。
【００５０】
レーザダイオード６３から出射したレーザ光の一部は、偏光ビームスプリッタ６７で反射する。その反射光の進む位置には、フォトディテクタ７１が配置されている。また、記録媒体からの戻り光は、偏光ビームスプリッタ６７で反射し、集光レンズ７２を介してフォトディテクタ７３に至る。
【００５１】
レーザダイオード６３の他に、波長６５０ｎｍのレーザ光を発光するレーザダイオード７４、波長７８０ｎｍのレーザ光を発光するレーザダイオード７６も配置されている。
【００５２】
レーザダイオード７４からの波長６５０ｎｍのレーザ光は、コリメータレンズ７５に入射する。コリメータレンズ７５は、入射するレーザ光が平行光として出射されるように、その光軸方向の位置が調整されている。コリメータレンズ７５を通ったレーザ光は、そのレーザ光と波長４０５ｎｍのレーザ光とを合成するダイクロイックプリズム６５に入射して反射する。それ以降は、波長４０５ｎｍのレーザ光と同じ光路をたどって光学素子部組１０に到達する。
【００５３】
レーザダイオード７６からの波長７８０ｎｍのレーザ光は、３ビーム法によりトラッキングエラーを検出するために、グレーティング７７を介してコリメータレンズ７８に入射する。コリメータレンズ７８は、入射するレーザ光が平行光として出射されるように、その光軸方向の位置が調整されている。コリメータレンズ７８を通ったレーザ光は、そのレーザ光と波長４０５ｎｍのレーザ光および波長６５０ｎｍのレーザ光とを合成するダイクロイックプリズム６６に入射して反射する。それ以降は、波長４０５ｎｍのレーザ光と同じ光路をたどって光学素子部組１０に到達する。
【００５４】
なお、フォトディテクタ７１およびフォトディテクタ７３は、全ての波長で共用される。また、上述した光学素子の各々は、適切なホルダや取り付け板などを介して、図示しないハウジングに固定されている。
【００５５】
次に、以上のように構成された本実施の形態について、その動作を説明する。
【００５６】
波長４０５ｎｍのレーザ光に対応する記録媒体５９を使用するときには、レーザダイオード６３を発光させる。レーザダイオード６３より発せられたレーザ光は、コリメータレンズ６４に入射して平行光にされ、ダイクロイックプリズム６５，６６、偏光ビームスプリッタ６７、１／４波長板６８、リレーレンズ６９，７０を経由して、光学素子部組１０の収差補正素子３，２を通り、対物レンズ１によって記録媒体５９上にスポットを形成する。
【００５７】
偏光ビームスプリッタ６７に入射したレーザ光は、その一部が反射されてフォトディテクタ７１で受光され、その出力に基づいてレーザダイオード６３の発光量の調整が行われる。
【００５８】
記録媒体５９からの反射光（戻り光）は、再び対物レンズ１を通り、往路とは逆の経路をたどって偏光ビームスプリッタ６７に到達する。ここで、戻り光は反射して、集光レンズ７２を経てフォトディテクタ７３で受光され、その出力に基づいてフォーカスエラー、トラッキングエラーおよび記録信号の検出が行われる。また、さらに球面収差の検出も行われる。
【００５９】
フォーカスエラーが検出された場合は、フォーカスコイル５２ａ，５２ｂに電流を流すことによって、ホルダ５１を記録媒体５９に垂直な方向に駆動する。トラッキングエラーが検出された場合は、トラッキングコイル５３ａ〜５３ｄに電流を流すことによって、ホルダ５１を記録媒体５９のトラックを横切る方向に駆動する。記録媒体５９がディスクの場合には、半径方向に駆動することになる。また、異なるトラックにアクセスする場合は、図示していない駆動手段によってハウジングごとホルダ５１を記録媒体５９のトラックを横切る方向に駆動する。以上のようにして、ホルダ５１およびそれに固定された光学素子部組１０は、フォーカス制御、トラッキング制御およびアクセス制御される。
【００６０】
波長６５０ｎｍのレーザ光に対応する記録媒体５９を使用するときには、レーザダイオード７４を発光させる。レーザダイオード７４より発せられたレーザ光は、コリメータレンズ７５に入射して平行光とされた後、ダイクロイックプリズム６５で反射されて、波長４０５ｎｍのレーザ光と同じ光路をたどり、波長４０５ｎｍのレーザ光の場合と同様にして、その一部がフォトディテクタ７１で受光されてレーザダイオード７４の発光量の調整が行われ、また、記録媒体５９からの戻り光がフォトディテクタ７３で受光されて、記録信号の検出が行われると共に、フォーカス制御、トラッキング制御およびアクセス制御が行われる。
【００６１】
また、波長７８０ｎｍのレーザ光に対応する記録媒体５９を使用するときには、レーザダイオード７６を発光させる。レーザダイオード７６より発せられたレーザ光は、グレーティング７７を介してコリメータレンズ７８に入射して平行光とされた後、ダイクロイックプリズム６６で反射されて、波長４０５ｎｍおよび波長６５０ｎｍのレーザ光と同じ光路をたどり、同様にして、その一部がフォトディテクタ７１で受光されてレーザダイオード７６の発光量の調整が行われ、また、記録媒体５９からの戻り光がフォトディテクタ７３で受光されて、記録信号の検出が行われると共に、フォーカス制御、トラッキング制御およびアクセス制御が行われる。
【００６２】
本実施の形態によれば、対物レンズ１を保持する鏡筒１１に、収差補正素子２，３を位置調整可能に取り付けると共に、光軸２０を通すための穴２１に貫通する位置調整用の穴１２ａ〜１２ｄ，１３ａ〜１３ｄを形成して、これらの穴１２ａ〜１２ｄ，１３ａ〜１３ｄを通して収差補正素子２，３を調整するように構成したので、調整の作業性を向上させることができ、結果として、調整精度を向上でき、高性能な光学素子部組１０を得ることができる。
【００６３】
しかも、鏡筒１１を光軸２０に垂直な方向から見たとき、収差補正素子２が見えるような位置に穴１２ａ〜１２ｄを形成し、穴１３ａ〜１３ｄについても、鏡筒１１を光軸２０に垂直な方向から見たとき、収差補正素子３が見えるような位置に形成したので、これらの穴１２ａ〜１２ｄ，１３ａ〜１３ｄを通して光軸２０に垂直な方向に調整棒２４ａ，２４ｂ，２５ａ，２５ｂを差し込むことにより、収差補正素子２，３を容易に保持することができ、作業性をより向上することができる。
【００６４】
また、穴１２ａと穴１２ｃ、穴１２ｂと穴１２ｄ、穴１３ａと穴１３ｃ、穴１３ｂと穴１３ｄは、それぞれ光軸２０に垂直な面内で光軸２０を通る一直線上に位置しており、例えば穴１２ａから差し込んだ調整棒２４ａと穴１２ｃから差し込んだ調整棒２４ｄとで収差補正素子２を強固に挟み込んで支持できるので、作業性をさらに向上させることができると共に、より精密な調整が可能となる。なお、穴１２ａ，１２ｃについて述べたが、他の穴についても同様である。
【００６５】
また、収差補正素子２を、光軸２０と平行な方向（Ｚ方向）へ調整することも可能となる。この場合には、調整後、収差補正素子２を鏡筒１１から浮かした状態で、接着剤を介して鏡筒１１に固定する。このように、収差補正素子２を光軸２０と平行方向に移動させる場合には、特に光軸２０に垂直な面内で光軸２０を通る一直線上に位置する穴の両側から収差補正素子２を挟んで強固に支持することが有効となる。
【００６６】
しかも、一直線上に並んだ穴１２ａと穴１２ｃ、穴１２ｂと穴１２ｄとのなす角が、９０度となっているので、収差補正素子２を光軸２０に垂直な面内でＸ方向、Ｙ方向のいずれにも自由に動かせ、特に９０度となっていることで、他の方向へのクロスアクションがなくなり、位置調整がし易く、作業性の一層の向上が図れる。
【００６７】
収差補正素子３についても、上記と同様の作用効果を有する。
【００６８】
以上のように、本実施の形態によれば、上記の光学素子部組１０を、図２に示したように光ピックアップに搭載することにより、既に述べたように、作業性が良く、結果として高性能の光学素子部組１０を搭載した高性能な光ピックアップを実現することができる。
【００６９】
なお、本実施の形態は、収差補正素子２，３を調整する場合に最も有効ではあるが、調整しない場合でも、穴１２ａ〜１２ｄ，１３ａ〜１３ｄを利用して固定作業を行ったり、当て付け作業を行ったりすることで、作業性を改善することができる。
【００７０】
（第２実施の形態）
図９は本発明の第２実施の形態を示すもので、第１実施の形態の図５に相当する光ピックアップ用光学ユニットである光学素子部組の側面図である。図９において、第１実施の形態と同じ部分には、同一の参照符号を付してある。
【００７１】
本実施の形態は、鏡筒１１に形成する収差補正素子２，３の位置調整用の第２の穴部として、第１実施の形態の穴１２ａ〜１２ｄ，１３ａ〜１３ｄに代えて、光軸２０の方向に延在して鏡筒１１のＺ−端まで達する切り欠き９１ａ〜９１ｄ（９１ｂ，９１ｃは図示せず），９２ａ〜９２ｄ（９２ｂ〜９２ｄは図示せず）を形成したものである。その他の構成および作用については、第１実施の形態とほぼ同じである。
【００７２】
このように、本実施の形態では、鏡筒１１に形成する位置調整用の第２の穴部を、穴形状ではなく、切り欠き形状としたので、鏡筒１１を射出成形で製造する際に、穴を形成するためのスライドが不要となる。したがって、型構造が簡単になり、製造コストを削減することができる。
【００７３】
また、収差補正素子２、３を調整する調整棒をＺ−方向より挿入することができるので、組み立て、調整を行う機械の構造の自由度が増え、作業性を向上することができる。
【００７４】
（第３実施の形態）
図１０は本発明の第３実施の形態を示すもので、第１実施の形態の図３に相当する光ピックアップ用光学ユニットである光学素子部組の斜視図である。図１０においても、第１実施の形態と同じ部分には、同一の番号を付してある。
【００７５】
本実施の形態は、第１実施の形態において、鏡筒１１の穴１２ａ〜１２ｄ，１３ａ〜１３ｄに閉塞部材である接着剤９３を充填して塞いだものである。接着剤９３は、収差補正素子２，３の調整および固定が行われた後に充填する。このため、接着剤９３としては、シリコーンのような粘度の高いものを用い、鏡筒１１の穴を塞ぐだけで、流れて光学素子部組１０を通る光を遮ることのないようにする。その他の構成および作用については、第１実施の形態とほぼ同じである。
【００７６】
本実施の形態によれば、位置調整用の穴１２ａ〜１２ｄ，１３ａ〜１３ｄを塞ぐことで、これら穴からの埃の進入を防ぐことができ、対物レンズ１や収差補正素子２，３等の光学素子の特性を長期に亘って安定して維持することができる。なお、穴は全て塞ぐのでなく、埃の進入し易い穴のみを塞ぐようにしても良い。
【００７７】
本実施の形態では、穴に接着剤９３を充填するので、穴を簡単に塞ぐことができる。
【００７８】
なお、閉塞部材は、接着剤に限らず、他の手段であっても良い。例えば、穴とほぼ同じ形状を持つ嵌合部材を鏡筒１１の穴に嵌め込んでも良い。この場合は、接着剤を充填する場合と比べて、作業のばらつきが発生しにくく、確実な作業が期待できる。
【００７９】
また、穴断面より少し大きい板状部材で塞いでも良い。例えば、裏に糊の着いた薄いシール部材で塞げば、確実な作業を簡単に行うことができる。
【００８０】
本発明は、上記実施の形態に限定されるものではなく、幾多の変形または変更が可能である。例えば、収差補正素子は、１個または３個以上でも良く、また、回折格子などが両面に設けられていなくとも、片面だけであっても良い。なお、収差補正素子が１個で、位置調整用の穴を一直線上に配する場合で、記録媒体が円形である場合には、収差補正素子の位置は、一般に記録媒体の半径方向に精度が要求されるので、位置調整用の穴を配する直線の方向も記録媒体の半径方向とするのが望ましい。
【００８１】
また、収差補正素子の形状も、光軸に平行な方向から見て円形でなくでも良く、長方形などさまざまな形状とすることができる。さらに、調整方向に収差補正素子の向きを合わせるために、収差補正素子に基準マークをつけることもできる。
【００８２】
また、収差補正素子は、球面収差、色収差の双方あるいはいずれか一方を補正するものでも良いし、コマ収差などの他の収差を補正するものであっても良いことは言うまでもない。さらに、収差補正素子は、液晶素子など電圧の印加によって収差を補正する電気光学素子であっても良い。
【図面の簡単な説明】
【００８３】
【図１】本発明の第１実施の形態に係る光ピックアップの一部上面図である。
【図２】一部を図１のＡ−Ａ断面で示す光ピックアップの概念図である。
【図３】図１および図２に示す光ピックアップ用光学ユニットの斜視図である。
【図４】同じく、光ピックアップ用光学ユニットの分解斜視図である。
【図５】同じく、光ピックアップ用光学ユニットの側面図である。
【図６】図１のＡ−Ａ断面における光ピックアップ用光学ユニットの断面図である。
【図７】第１実施の形態による収差補正素子の調整操作を説明するための図である。
【図８】図７のＢ−Ｂ断面図である。
【図９】本発明の第２実施の形態に係る光ピックアップ用光学ユニットの側面図である。
【図１０】本発明の第３実施の形態に係る光ピックアップ用光学ユニットの斜視図である。
【符号の説明】
【００８４】
１  対物レンズ
２，３  収差補正素子
１０  光学素子部組（光ピックアップ用光学ユニット）
１１  鏡筒（ホルダ）
１２ａ〜１２ｄ，１３ａ〜１３ｄ  穴（第２の穴部）
１４，１５  隙間
１６ａ〜１６ｃ  接着剤溜まり
１７  絞り
１８  絞り部材
２０  光軸
２１  穴（第１の穴部）
２３  受部
２４ａ，２４ｂ，２５ａ，２５ｂ  調整棒
５１  ホルダ
５４ａ〜５４ｄ  ワイヤバネ
５６  バネウケ
５７  基板
５８  べース
５９  記録媒体
６０  レンズアクチュエータ
６１ａ，６１ｂ  曲げ立ち上げ部
６２ａ，６２ｂ  磁石
６３，７４，７６  レーザダイオード
６４，７５，７８  コリメータレンズ
６５，６６  ダイクロイックプリズム
６７  偏光ビームスプリッタ
６８  １／４波長板
６９  凹レンズ
７０  凸レンズ
７１，７３  フォトディテクタ
７２  集光レンズ
７７  グレーティング
９１ａ〜９１ｄ，９２ａ〜９２ｄ  切り欠き（第２の穴部）
９３  接着剤（閉塞部材）
【図１】
2006244549.tif 000003
【図２】
2006244549.tif 000004
【図３】
2006244549.tif 000005
【図４】
2006244549.tif 000006
【図５】
2006244549.tif 000007
【図６】
2006244549.tif 000008
【図７】
2006244549.tif 000009
【図８】
2006244549.tif 000010
【図９】
2006244549.tif 000011
【図１０】
2006244549.tif 000012